(57)【要約】  【課題】  音声符号圧縮を行う通信装置を用いてＤＴＭＦ信号の伝送をする場合でも、受信側の通信装置で誤りなくそのＤＴＭＦ信号を判定／認識できるようにする。  【解決手段】  ＰＢＸ４，５とＡＴＭ回線３とに接続される通信装置１，２において、ＰＢＸ４，５からの音声信号にＤＴＭＦ信号が含まれているかどうかを検出するＤＴＭＦ信号検出部１０２とＤＴＭＦ信号監視部１０３と、ＤＴＭＦ信号を符号化して送出するＤＴＭＦセル生成部１０５と、符号化されているＤＴＭＦ信号を復号化するＤＴＭＦセル分解部１１０と、復号化されたＤＴＭＦ信号の情報内容によりＤＴＭＦ信号を発生してＰＢＸ４，５に送出するＤＴＭＦ信号発生部１１５とを備え、送信側通信装置１，２でＤＴＭＦ信号を所定形式に符号化して送信し、受信側通信装置１，２で符号化されたＤＴＭＦ信号を復号化して、この内容情報に基づき、ＤＴＭＦ信号発生部１１５でＤＴＭＦ信号を再生する。【選択図】  図１
2008199659.tif 000002
【特許請求の範囲】
【請求項１】
音声端末装置と通信回線とに接続される通信装置において、
前記音声端末装置からの音声信号にＤＴＭＦ信号が含まれているかどうかを検出する検出手段と、
該検出手段がＤＴＭＦ信号を検出した際に、該ＤＴＭＦ信号を所定の形式に符号化してＤＴＭＦ情報を生成し、これを前記通信回線に送出するＤＴＭＦ符号化手段と、
該ＤＴＭＦ符号化手段が前記通信回線に送出するＤＴＭＦ信号の終了を示す情報を、該ＤＴＭＦ情報とともに送信するＤＴＭＦ信号終了通知手段と、
前記通信回線からの符号化されたＤＴＭＦ情報を復号化するＤＴＭＦ復号化手段と、
該ＤＴＭＦ復号化手段によって復号化された内容に基づいてＤＴＭＦ信号を発生し、これを前記音声端末装置に送出するＤＴＭＦ発生手段と、
を備えたことを特徴とする通信装置。 
【発明の詳細な説明】
【技術分野】
【０００１】
本発明は、電話端末装置又は構内電話交換機（以下「ＰＢＸ」という。）等の音声端末装置からの音声信号を音声符号圧縮して伝送する通信システムにおいて、プッシュ・ボタン（Push Button：以下「ＰＢ」という。）信号を含むデゥアル・トーン・マルチ・フリクエンシィー（Dual Tone Multi Frequency：以下「ＤＴＭＦ」という。）信号を正確に伝送する通信装置に関する。
【背景技術】
【０００２】
従来、多重化装置等の通信装置により音声信号を音声符号圧縮して対向伝送する通信システムにおいては、通常の音声信号と同様に、電話端末装置から送出されたＰＢ信号等のＤＴＭＦ信号をも音声符号圧縮して対向する通信装置に伝送していた。すなわち、送信側の通信装置においては、ＤＴＭＦ信号を特別に意識することなく音声符号圧縮して通常の音声符号圧縮信号として送信し、一方、受信側の通信装置においては、受信した音声符号圧縮信号を、音声符号伸張して音声信号（ＤＴＭＦ信号）に戻して、これをＰＢＸ等の音声端末装置に送出し、音声端末装置でＤＴＭＦ信号のコードを判定／認識して所定の動作を行うようにしていた。なお、本技術に関連するものとして、特許文献１および特許文献２が挙げられる。
【特許文献１】特開平４−３５４４９５号公報
【特許文献２】特開昭６２−１２５７２６号公報
【発明の開示】
【発明が解決しようとする課題】
【０００３】
しかしながら、前記従来技術のように、ＤＴＭＦ信号を音声信号の一つとして圧縮及び伸張した場合、受信側の通信装置で伸張したＤＴＭＦ信号（音声信号）は受信規定外となり、ＰＢＸ等の音声端末装置側でＤＴＭＦ信号として認識されないことが生じるという問題があった。
【０００４】
また、ＤＴＭＦ信号を伝送する場合、ＤＴＭＦ信号を受信した通信装置側でＤＴＭＦ信号を判定する判定時間が必要となり、その判定時間中は音声として対向の音声端末装置に伝送されるため、ＤＴＭＦ信号再生側では音声符号圧縮信号を伸張したＤＴＭＦ音の後に、ＤＴＭＦ信号を復号化したＤＴＭＦ信号を再生することになり、音声符号圧縮信号を伸張したＤＴＭＦ音はＤＴＭＦ信号の受信規定外になる場合があり、ＰＢＸ等の音声端末装置側でＤＴＭＦ信号として認識されない場合があるという問題があった。
【０００５】
本発明の目的は、音声符号圧縮を行う通信装置を用いてＤＴＭＦ信号の伝送をする場合でも、受信側の通信装置（音声端末装置）で誤りなくそのＤＴＭＦ信号を判定／認識することができる通信装置を提供することにある。
【課題を解決するための手段】
【０００６】
本発明は、音声端末装置と通信回線とに接続される通信装置において、前記音声端末装置からの音声信号にＤＴＭＦ信号が含まれているかどうかを検出する検出手段と、該検出手段がＤＴＭＦ信号を検出した際に、該ＤＴＭＦ信号を所定の形式に符号化してＤＴＭＦ情報を生成し、これを前記通信回線に送出するＤＴＭＦ符号化手段と、該ＤＴＭＦ符号化手段が前記通信回線に送出するＤＴＭＦ信号の終了を示す情報を、該ＤＴＭＦ情報とともに送信するＤＴＭＦ信号終了通知手段と、前記通信回線からの符号化されたＤＴＭＦ情報を復号化するＤＴＭＦ復号化手段と、該ＤＴＭＦ復号化手段によって復号化された内容に基づいてＤＴＭＦ信号を発生し、これを前記音声端末装置に送出するＤＴＭＦ発生手段と、を備えたことを特徴とする。 
【発明の効果】
【０００７】
以上、本発明によれば、音声符号圧縮を用いた通信システムにおいて、ＤＴＭＦ信号を符号化して伝送すると共に、音声として伝送されるＤＴＭＦ信号を無音処理することにより、ＤＴＭＦ信号を規定値内で再生が可能となり、ＤＴＭＦ信号の伝送を誤りなく行うことが可能となる。
【０００８】
従って、ＡＴＭ多重化装置のような音声符号圧縮機能を有する通信装置を用いてＰＢＸ等の音声端末装置間を接続しても、ＤＴＭＦ信号による音声メール装置の操作の他、転送、音声ガイダンス機能などの付加通信サービス機能を使用することが可能となる。
【０００９】
また、ＤＴＭＦ信号監視部に、ＤＴＭＦガード機能を付加することより、音声入力をＤＴＭＦ信号と誤って検出する頻度を低減する効果がある。
【発明を実施するための最良の形態】
【００１０】
以下、本発明の実施の形態を、図面を参照して詳細に説明する。
【００１１】
図１は、本発明の全体構成を示すシステム構成図である。図１において、このシステムは、一方のＡＴＭ多重化装置１と、他方のＡＴＭ多重化装置２と、ＡＴＭ多重化装置１とＡＴＭ多重化装置２とを接続するＡＴＭ回線３と、ＡＴＭ多重化装置１に接続されるＰＢＸ４と、ＡＴＭ多重化装置２に接続されるＰＢＸ５と、ＰＢＸ４が収容する複数の内線電話機４４と、ＰＢＸ５が収容する複数の内線電話機５４と、ＰＢＸ５が収容する電子メール装置５８と、ＡＴＭ多重化装置１とＡＴＭ多重化装置２とを接続する公衆回線６と、公衆回線６に接続される集中管理端末装置７と、ＡＴＭ多重化装置１に接続される管理端末装置８と、ＡＴＭ多重化装置２に接続される管理端末装置９とを備えている。
【００１２】
ＡＴＭ多重化装置１は、ＰＢＸ４からの一連の音声信号を音声符号圧縮した後、これをＡＴＭセル化してＡＴＭ回線３に送信し、また、ＡＴＭ回線３から受信したＡＴＭセルをデセル化した後、これを音声符号伸張して一連の音声信号に戻してＰＢＸ５に送信するものである。また同様に、ＡＴＭ多重化装置２は、ＰＢＸ５からの一連の音声信号を音声符号圧縮した後、これをＡＴＭセル化してＡＴＭ回線３に送信し、また、ＡＴＭ回線３から受信したＡＴＭセルをデセル化した後、これを音声符号伸張して一連の音声信号に戻してＰＢＸ４に送信するものである。
【００１３】
ＰＢＸ４は、内線電話機４４相互間、又は内線電話機４４とＡＴＭ多重化装置１との間を自在に交換接続するものであり、また同様に、ＰＢＸ５は、内線電話機５４間、内線電話機５４とＡＴＭ多重化装置２との間、内線電話機５４と電子メール装置５８との間、又はＡＴＭ多重化装置２と電子メール装置５８との間を自在に交換接続するものである。
【００１４】
これを更に説明すると、ＰＢＸ４は、通話路スイッチ（ＳＷ）４１と、通話路スイッチ４１に接続された内線回路（ＬＩＮ）４３と、通話路スイッチ４１に接続されたトランク回路（ＴＲＫ）４２と、中央制御装置（ＣＣ）４５と、主記憶装置（ＭＭ）４６とを備えている。
【００１５】
通話路スイッチ４１は、内線回路４３相互間、又は内線回路４３とトランク回路４２間を自在に接続し、通話路を設定するものであり、内線回路４３は内線電話機４４を接続制御するインタフェース機能を有するものであり、また、トランク回路４２はＡＴＭ多重化装置１との接続制御を行うインタフェース機能を有するものである。さらに、中央制御装置４５は、通話路スイッチ４１、内線回路４３、及びトランク回路４２を含むＰＢＸ４の全体を制御するものであり、主記憶装置４６は中央制御装置４５がＰＢＸ４の全体を制御するために必要な局データ、テーブル、処理プログラム等を格納するものである。
【００１６】
ＰＢＸ５は、通話路スイッチ（ＳＷ）５１と、通話路スイッチ５１に接続された内線回路（ＬＩＮ）５３と、通話路スイッチ５１に接続されたトランク回路（ＴＲＫ）５２と、通話路スイッチ５１に接続されたメールインタフェース回路（Ｉ／Ｆ）５７と、中央制御装置（ＣＣ）５５と、主記憶装置（ＭＭ）５６とを備えている。
【００１７】
通話路スイッチ５１は、内線回路４３相互間、内線回路４３とトランク回路４２間、内線回路５４とメールインタフェース回路５７との間、又はトランク回路５２とメールインタフェース回路５７との間を自在に接続し、通話路を設定するものである。内線回路５３は、内線電話機５４を接続制御するインタフェース機能を有するものであり、トランク回路５２は、ＡＴＭ多重化装置２との接続制御を行うインタフェース機能を有するものであり、また、メールインタフェース回路５７は、電子メール装置５８との接続制御を行うインタフェース機能を有するものである。さらに、中央制御装置５５は、通話路スイッチ５１、内線回路５３、トランク回路５２及びメールインタフェース回路５７を含むＰＢＸ５の全体を制御するものであり、主記憶装置５６は、中央制御装置５５がＰＢＸ５の全体を制御するために必要な局データ、テーブル及び処理プログラム等を格納するものである。
【００１８】
そして、このような構成によって、ＡＴＭ多重化装置１とＡＴＭ多重化装置２とはＡＴＭ回線３を介してＡＴＭ通信が行われる。従って、内線電話機４４と内線電話機５４との間、又は内線電話機４４と電子メール装置５８との間は、ＰＢＸ４、ＡＴＭ多重化装置１、ＡＴＭ回線３、ＡＴＭ多重化装置２、及びＰＢＸ５を介して音声信号の通信接続（通話接続）が可能になっている。
【００１９】
また、集中管理端末装置７は、ＡＴＭ多重化装置１及びＡＴＭ多重化装置２を遠隔地で集中的に管理するものであって、公衆回線６を介してＡＴＭ多重化装置１及びＡＴＭ多重化装置２に接続され、ＡＴＭ多重化装置１及びＡＴＭ多重化装置２の動作に必要な各種の設定情報を設定し、また、ＡＴＭ多重化装置１及びＡＴＭ多重化装置２の通信状態（障害情報）を監視するものである。
【００２０】
さらに、管理端末装置８は、ＡＴＭ多重化装置１を管理するものであって、ＡＴＭ多重化装置１の動作に必要な各種の設定情報を設定し、また、ＡＴＭ多重化装置１の通信状態（障害情報）を監視するものであり、また同様に、管理端末装置９は、ＡＴＭ多重化装置２を管理するものであって、ＡＴＭ多重化装置２の動作に必要な各種の設定情報を設定し、また、ＡＴＭ多重化装置２の通信状態（障害情報）を監視するものである。
【００２１】
図２は、本発明の実施の形態にかかるＡＴＭ多重化装置の内部構成を示すブロック図である。
【００２２】
図２において、ＡＴＭ多重化装置１及びＡＴＭ多重化装置２は同一の構成となっており、ＡＴＭ多重化装置１及びＡＴＭ多重化装置２は、互いに、トランク回路インタフェース部１０１，２０１と、ＤＴＭＦ信号検出部１０２，２０２と、ＤＴＭＦ信号監視部１０３，２０３と、音声符号圧縮部１０４，２０４と、ＤＴＭＦセル生成部１０５，２０５と、音声セル生成部１０６，２０６と、セル多重部１０７，２０７と、ＡＴＭ回線インタフェース部１０８，２０８と、セル分離部１０９，２０９と、ＤＴＭＦセル分解部１１０，２１０と、音声セル分解部１１１，２１１と、出力情報切替部１１２，２１２と、ＤＴＭＦ信号発生器１１３，２１３と、音声符号伸張部１１４，２１４と、無音発生部１１５，２１５と、セレクタ（ａ）１１６，２１６と、セレクタ（ｂ）１１７，２１７とを有して構成されている。
【００２３】
トランク回路インタフェース部１０１，２０１は、ＰＢＸ４，５（トランク回路４２，５２）と音声信号を通信接続するためのインタフェース部であり、ＰＢＸ４，５からの音声信号を、ＤＴＭＦ信号検出部１０２，２０２及び音声符号圧縮部１０４，２０４に送出し、かつ、セレクタ（ｂ）１１７，２１７からの音声信号を、ＰＢＸ４，５に送出するものである。
【００２４】
ＤＴＭＦ信号検出部１０２，２０２は、トランク回路インタフェース部１０１，２０１から得た音声信号にＤＴＭＦ信号が含まれているかどうかを検出し、この検出内容を第１のＤＴＭＦ検出信号として、ＤＴＭＦ信号監視部１０３，２０３とＤＴＭＦセル生成部１０５，２０５とに送出しており、ＤＴＭＦ信号を検出しているときには、第１のＤＴＭＦ検出信号を継続的にオン状態にし、また、ＤＴＭＦ信号を検出していないときには、第１のＤＴＭＦ検出信号を継続的にオフ状態にしている。
【００２５】
ＤＴＭＦ信号監視部１０３，２０３は、ＤＴＭＦ信号検出部１０２，２０２を透過してきたＤＴＭＦ信号とＤＴＭＦ信号検出部１０２，２０２から得た第１のＤＴＭＦ検出信号を受信している。そして、その得た第１のＤＴＭＦ検出信号をサンプリングして、直前の信号変化点（オン状態からオフ状態に変化した時、又は、オフ状態からオン状態に変化した時）から、次の（新たな）信号変化点までの時間を測定し、これを信号変化検出時間情報としてＤＴＭＦセル生成部１０５，２０５に送出する。
【００２６】
また、ＤＴＭＦ信号監視部１０３，２０３は、常時、ＤＴＭＦ信号の検出と解析とを行い、検出結果と解析結果とをＤＴＭＦセル生成部１０５，２０５に送出する。すなわち、ＤＴＭＦ信号の検出内容を第２のＤＴＭＦ検出信号として、ＤＴＭＦセル生成部１０５，２０５に送出しており、ＤＴＭＦ信号を検出しているときには、第２のＤＴＭＦ検出信号を継続的にオン状態にし、また、ＤＴＭＦ信号を検出していないときには、第２のＤＴＭＦ検出信号を継続的にオフ状態にすると共に、ＤＴＭＦ信号の解析結果として、ＤＴＭＦ信号の値情報（ＤＴＭＦコード情報）をＤＴＭＦセル生成部１０５，２０５に通知するものである。
【００２７】
なお、ＤＴＭＦ信号監視部１０３，２０３は、予め定められた間隔（例えば１秒間隔）で、定期的にＤＴＭＦ信号が検出されている状態か又は未検出の状態かを示すＤＴＭＦ信号状態情報をＤＴＭＦセル生成部１０５，２０５に通知する機能を有している。
【００２８】
ＤＴＭＦセル生成部１０５，２０５は、ＤＴＭＦ信号検出部１０２，２０２から得た第１のＤＴＭＦ検出信号と、ＤＴＭＦ信号監視部１０３，２０３から得た信号変化検出時間情報、第２のＤＴＭＦ検出信号及びＤＴＭＦ信号の値情報（ＤＴＭＦコード情報）とに基づいてＡＴＭセルを生成するものであって、ＤＴＭＦセルを示す識別情報とＤＴＭＦ信号の内容情報とを含むＡＴＭセルを、元のＤＴＭＦ信号を送出させる情報として送出するものである。なお、ＤＴＭＦ信号伝送用のＡＴＭセル（以下「ＤＴＭＦセル」という。）フォーマットの詳細構成は後述する。
【００２９】
音声符号圧縮部１０４，２０４は、トランク回路インタフェース部１０１，２０１から得た音声信号を、所定の規則、アルゴリズムに従って音声符号圧縮し、これを音声セル生成部１０６，２０６に送出するものである。
【００３０】
音声セル生成部１０６，２０６は、音声符号圧縮部１０４，２０４からの音声符号圧縮された音声信号を受信し、これに基づいてＡＴＭセルを生成するものであって、音声セルを示す識別情報と音声符号圧縮された音声信号の内容情報とを含むＡＴＭセルを音声情報として送出するものである。なお、音声信号伝送用のＡＴＭセル（以下「音声セル」という。）フォーマットの詳細構成は後述する。
【００３１】
セル多重部１０７，２０７は、ＤＴＭＦセル生成部１０５，２０５及び音声セル生成部１０６，２０６からのＡＴＭセルを発生順に多重し、これをＡＴＭ回線インタフェース部１０８，２０８に送出するものである。
【００３２】
ＡＴＭ回線インタフェース部１０８，２０８は、ＡＴＭ回線３と物理的、電気的及び論理的に整合をとり、セル多重部１０７，２０７から受信したＡＴＭセルをＡＴＭ回線３に送出して、対向装置としてのＡＴＭ多重化装置１又は２にそのＡＴＭセルを送信し、また、対向装置としてのＡＴＭ多重化装置１又は２からＡＴＭ回線３を介して受信したＡＴＭセルを、セル分離部１０９，２０９に送出するものである。
【００３３】
セル分離部１０９，２０９は、ＡＴＭ回線インタフェース部１０８，２０８から受信したＡＴＭセルのセル種別を認識してこれを分別し、ＡＴＭセルがＤＴＭＦセルである場合には、このＡＴＭセルをＤＴＭＦセル分解部１１０，２１０に送出し、また、ＡＴＭセルが音声セルである場合には、このＡＴＭセルを音声セル分解部１１１，２１１に送出するものである。
【００３４】
ＤＴＭＦセル分解部１１０，２１０は、ＤＴＭＦセルを受信すると、このＤＴＭＦセルが自装置宛のセルかどうかの認識、セル抜け判定（エラー検出）を含むＡＴＭヘッダー処理及びチャネル識別、シーケンス番号の判定（エラー検出）を含むＣＰＳ−ＰＨ処理を行い、この後、受信したＤＴＭＦセルに含まれているＤＴＭＦ信号の内容情報を認識／解析して、ＤＴＭＦ信号の信号変化検出時間及びＤＴＭＦ信号の値情報（ＤＴＭＦコード情報）をＤＴＭＦ信号発生器１１３，２１３に通知すると共に、セレクタ（ａ）１１６，２１６及びセレクタ（ｂ）１１７，２１７を制御するためのセレクタ制御信号を出力情報切替部１１２，２１２に通知するものである。
【００３５】
音声セル分解部１１１，２１１は、音声セルを受信すると、ＤＴＭＦセル分解部１１０，２１０と同様にＡＴＭヘッダー処理及びＣＰＳ−ＰＨ処理を行い、その後、音声符号圧縮されている音声信号を抽出し、これを音声符号伸張部１１４，２１４に送出するものである。
【００３６】
出力情報切替部１１２，２１２は、ＤＴＭＦ信号分解部１１０，２１０から受信した、セレクタ制御信号により、セレクタ（ａ）１１６，２１６及びセレクタ（ｂ）１１７，２１７の出力を制御するものであり、トランク回路インタフェース部１０１，２０１を介してＰＢＸ４，５に出力する音声信号の内容を切り替えるものである。
【００３７】
ＤＴＭＦ信号発生部１１３，２１３は、ＤＴＭＦセル分解部１１０，２１０から信号変化検出時間情報及びＤＴＭＦ値情報（ＤＴＭＦコード情報）を受信し、そのＤＴＭＦ値情報（ＤＴＭＦコード情報）に対応するＤＴＭＦ信号を発生させ、このＤＴＭＦ信号を信号変化検出時間情報として通知された時間と同一の時間の間、セレクタ（ｂ）１１７，２１７に送出するものである。
音声符号伸張部１１４，２１４は、音声セル分解部１１１，２１１から受信した音声符号圧縮されている音声信号を音声符号伸張し、これをセレクタ（ａ）１１６，２１６に送出するものである。
【００３８】
無音発生部１１５，２１５は、常時、無音信号を発生しており、これをセレクタ（ａ）１１６，２１６に送出するものである。なお、無音信号は人間が音声を聴取するときに、違和感なく無音状態を感じることができる信号であり、一般的に低レベルの雑音信号が用いられている。
【００３９】
セレクタ（ａ）１１６，２１６は、出力情報切替部１１２，２１２からの制御に従い、音声符号伸張部１１４，２１４からの音声信号若しくは無音発生部１１５，２１５からの無音信号のいずれか一方をセレクタ（ｂ）１７７，２１７に送出するものである。
【００４０】
そして、セレクタ（ｂ）１１７，２１７は、ＤＴＭＦ信号発生部１１３，２１３からのＤＴＭＦ信号、又はセレクタ（ｂ）１７７，２１７からの音声信号若しくは無音信号のいずれか一方をトランク回路インタフェース部１０１，２０１に送出するものである。
【００４１】
次に、本発明で用いられるＡＴＭセルのフォーマット構成を説明する。
【００４２】
図３は、ＡＴＭ・アダプション・レイヤ２（ＡＡＬ２）セルフォーマットの基本構成を示す図である。図３において、ＡＡＬ２セルは、５バイトのＡＴＭヘッダ部Ｆ３０１と、１バイトのスタート・フィールド（ＳＴＦ）部Ｆ３０２と、転送する音声信号又はＤＴＭＦ信号の具体的内容情報を格納する４７バイトのコモン・パス・サブレイヤ・プロトコル・データ・ユニット・ペイロード（ＣＰＳ−ＰＤＵ Ｐａｙｌｏａｄ）部Ｆ３０３とで構成されている。
【００４３】
ＡＴＭヘッダ部Ｆ３０１は、ＩＴＵ−Ｔ勧告のＩ．３６１「公帯域ＩＳＤＮＡＴＭレイヤ仕様」において規定されているように、４ビットのＧＦＣ領域と、８ビットのＶＰＩ領域と、１６ビットのＶＣＩ領域と、３ビットのＰＴ領域と、１ビットのＣＬＰ領域と、８ビットのＨＥＣ領域とから構成されている。
【００４４】
また、ＳＴＦ部Ｆ３０２は、コモン・パス・サブレイヤ・プロトコル・データ・ユニット部の格納位置を指定する６ビットのＯＳＦ領域と、シーケンス・ナンバーを格納する１ビットのＳＮ領域と、パリティピットを格納する１ビットのＰ領域とから構成されている。なお、図３のコモン・パス・サブレイヤ・プロトコル・データ・ユニット・ペイロード部Ｆ３０３の構成は図４により説明する。
【００４５】
図４は、図３に示すコモン・パス・サブレイヤ・プロトコル・データ・ユニット・ペイロード部Ｆ３０３のフォーマット構成を示す図である。図４において、（ａ）は音声及びファクシミリ信号等の音声信号を伝送するときに用いる音声セル用ＣＰＳ−ＰＤＵ Ｐａｙｌｏａｄ部のフォーマット構成を示す図であり、（ｂ）はＤＴＭＦ信号及びＳＳ／ＳＲ信号を含むＤＴＭＦ信号を伝送するときに用いるＤＴＭＦセル用ＣＰＳ−ＰＤＵ Ｐａｙｌｏａｄ部のフォーマット構成を示す図である。
【００４６】
図４（ａ）において、この音声セル用ＣＰＳ−ＰＤＵ Ｐａｙｌｏａｄ部は、ＩＴＵ−Ｔ勧告のＩ．３６３．２「Ｂ−ＩＳＤＮ ＡＴＭ アダプション・レイヤ・タイプ２」にほぼ準拠しているものであり、コモン・パス・サブレイヤ・パケット・ヘッダ（ＣＰＳ−ＰＨ）部Ｆ４０１と、コモン・パス・サブレイヤ・パケット・ペイロード（ＣＰＳ−ＰＰ）部Ｆ４０２とから構成されている。
【００４７】
ＣＰＳ−ＰＨ部Ｆ４０１は、セル種別を示すものであり、送信する音声信号の内容が通常の音声信号のときは識別子「００」を格納し、音声信号の内容がファクシミリ信号のときは識別子「１０」を格納する２ビットのセル識別（ＶＦ）領域と、チャネル識別子を格納する６ビットのチャネル・アイデンティフィー（ＣＩＤ）領域と、有効な情報の範囲を示す情報を格納する６ビットのレングス・インディケーター（ＬＩ）領域と、音声のフレーム番号情報を格納する４ビットのシーケンス・ナンバー（ＳＮ）領域と、エラー制御情報を格納する５ビットのヘッダ・エラー・コントロール（ＨＥＣ）領域とから構成され、また、コモン・パス・サブレイヤ・パケット・ペイロード部Ｆ４０２は、音声符号圧縮された音声信号を格納する音声符号情報格納領域として構成されている。なお、この音声セル用ＣＰＳ−ＰＤＵ Ｐａｙｌｏａｄ部を含む音声セルは、図２に示す音声セル生成部１０６，２０６で生成されるものである。
【００４８】
図４（ｂ）において、このＤＴＭＦセル用ＣＰＳ−ＰＤＵ Ｐａｙｌｏａｄ部は、図４（ａ）と同様に、ＣＰＳ−ＰＨ部Ｆ４０３と、ＣＰＳ−ＰＰ部Ｆ４０４とから構成されている。
【００４９】
ＣＰＳ−ＰＨ部Ｆ４０３は、図４（ａ）のＣＰＳ−ＰＨ部Ｆ４０１と同一の構成であるが、ＣＰＳ−ＰＤＵ Ｐａｙｌｏａｄ部がＤＴＭＦセル用である場合、ＶＦ領域には、このＡＴＭセルがＤＴＭＦセルでありＣＰＳ−ＰＰ部Ｆ４０４には、ＤＴＭＦ音声信号に関する情報又はＳＳ／ＳＲ信号の情報が格納されていることを示す識別子「１１」が格納される。また、ＣＰＳ−ＰＰ部Ｆ４０４は、ＳＳ／ＳＲ制御信号を格納するＳＳ／ＳＲ領域と、ＤＴＭＦ信号監視部１０３，２０３が測定した信号変化検出時間を格納する信号変化検出時間（ＤＴＭＦ ＴＩＭＥ）領域と、ＤＴＭＦ信号の有り又は無し信号を格納するＤＴＭＦ信号有無（ＤＶ）領域と、ＤＴＭＦ値情報（ＤＴＭＦコード情報）を格納するＤＴＭＦコード（ＤＴＭＦ ＣＯＤＥ）領域とから構成されている。なお、このＤＴＭＦセル用ＣＰＳ−ＰＤＵ Ｐａｙｌｏａｄ部を含むＤＴＭＦセルは、図２に示すＤＴＭＦセル生成部１０５，２０５で生成されるものである。
【００５０】
図５は、図４（ｂ）に示すＤＴＭＦセル用ＣＰＳ−ＰＤＵ Ｐａｙｌｏａｄ中のＣＰＳ−ＰＰ部Ｆ４０４の具体的構成を示す図である。
【００５１】
図５において、ＳＳ／ＳＲ領域Ｆ５０１は、トランク回路が用いる通信制御信号であるＳＳ／ＳＲ制御信号を格納するＳＳ／ＳＲ領域である。ＤＴＭＦ ＴＩＭＥ領域Ｆ５０２は、前記したようにＤＴＭＦ信号監視部１０３，２０３が測定した信号変化検出時間を格納する領域であって、０から１２６ｍｓまでの時間情報を格納する領域である。ＤＶ領域Ｆ５０３は、前記したようにＤＴＭＦ信号の有り又は無し信号を格納する領域であって、信号無しのときは「０」が格納され、信号有りのときは「１」が格納される領域である。
【００５２】
また、ＤＴＭＦ ＣＯＤＥ領域Ｆ５０４は、その上位４ビットをＤＴＭＦセルの種別情報を通知するＤＴＭＦセル種領域Ｆ５０４ａとして用い、また、その下位４ビットをＤＴＭＦ信号の値情報（ＤＴＭＦコード情報）を通知するＤＴＭＦコード領域Ｆ５０４ｂとして用いられている。すなわち、ＤＴＭＦセル種領域Ｆ５０４ａによって、このＤＴＭＦセルが、ＤＴＭＦ信号の送出又は停止の信号を送出するためのＤＴＭＦオン／オフセルか、無音信号の送出を行うことを示す無音セルか又は無音信号の送出停止を示す無音解除セルかを通知している。また、ＤＴＭＦコード領域Ｆ５０４ｂによって、ＤＴＭＦ信号のＤＴＭＦコードである「０」〜「９」、「＊」、「＃」又は「Ａ」〜「Ｄ」の内の一つを通知するようにしている。なお、無音セル、無音解除セル及びＤＴＭＦオン／オフセルについての詳細説明は後述する。
【００５３】
図１において、ＰＢＸ４が収容する内線電話機４４が、ＰＢＸ５が収容する電子メール装置５８にアクセスし、ＰＢＸ４、ＡＴＭ多重化装置１、ＡＴＭ回線３、ＡＴＭ多重化装置２、及びＰＢＸ５を介してその通話接続が行われ、内線電話機４４からＤＴＭＦ信号の一つとなるＰＢ信号が送出され、電子メール装置５８を制御する場合がある。
【００５４】
以下、このような場合を例にして、ＰＢＸ４側からＰＢＸ５側に、ＤＴＭＦ信号を伝送するＤＴＭＦ信号伝送方式について説明する。
【００５５】
図６は、本発明のＤＴＭＦ伝送方式の動作にかかる第１の実施の形態を説明する動作シーケンス図である。
【００５６】
図２及び図６において、ＰＢＸ４のトランク４２を介して、内線電話機４４からの音声信号がＡＴＭ多重化装置１に入力されると、ＡＴＭ多重化装置１は、トランク回路インタフェース部１０１を介してその音声信号が、入力音声信号として音声符号圧縮部１０４とＤＴＭＦ信号検出部１０２とに入力される。
【００５７】
なお、本実施の形態においては、その入力音声信号が、図６に示すように「音声１」、「ＤＴＭＦ信号（音声２）」、「音声３」という順序に送出された音声信号を例に説明する。
【００５８】
音声符号圧縮部１０４は、「音声１」、「ＤＴＭＦ信号（音声２）」、「音声３」の何れも音声信号として音声符号圧縮を行う。従って、ＤＴＭＦ信号（音声２）も一つの音声信号として処理されるため、図６に示すように、音声符号圧縮された音声信号が音声符号圧縮部１０４から音声セル生成部１０６に送出される。ここで、音声符号圧縮部１０４は、音声符号圧縮の処理に処理時間Ｖａを要するものとする。
【００５９】
音声セル生成部１０６は、受信したその音声符号圧縮されている音声信号により、逐次、図４（ａ）に示す音声セル用ＣＰＳ−ＰＤＵ Ｐａｙｌｏａｄを作成すると共に、これにＡＴＭヘッダとＳＴＦを付加して音声セルを生成し、これをセル多重化部１０７に送出する。
【００６０】
一方、ＤＴＭＦ信号検出部１０２は、音声信号（入力音声信号）を受信して、その信号内容を常時監視している。そして、ＤＴＭＦ判定に要する判定時間ＤｔでＤＴＭＦ信号の判定を行なっており、ＤＴＭＦ信号（音声２）を受信したとき、第１のＤＴＭＦ検出信号をオン状態にしてこれを出力する。
【００６１】
ＤＴＭＦセル生成部１０５は、ＤＴＭＦ信号検出部１０２から出力された第１のＤＴＭＦ検出信号のオン状態を認識すると、図４（ｂ）に示すＤＴＭＦセル用ＣＰＳ−ＰＤＵ Ｐａｙｌｏａｄを作成すると共に、図５に示すＤＴＭＦ ＣＯＤＥ領域Ｆ５０４のＤＴＭＦセル種領域Ｆ５０４ａに、無音セルのコードを格納し、これにＡＴＭヘッダとＳＴＦを付加してＤＴＭＦセル（以下「無音セル」という。）を生成し、これをセル多重部１０７に送出する。
【００６２】
また、ＤＴＭＦ信号監視部１０３は、ＤＴＭＦ信号検出部１０２からの第１のＤＴＭＦ検出信号を、例えば１ｍｓでサンプリングして第１のＤＴＭＦ検出信号のオン／オフ状態の変化点検出を行い、その変化を検出したとき（オンからオフに変化したとき、又は、オフからオンに変化したとき）、ＤＴＭＦセル生成部１０５にＤＴＭＦセルの送出を要求をする。なお、ＤＴＭＦ信号監視部１０３には、ＤＴＭＦガード機能が設定されており、予め設定されているガード時間Ｇｔ以上のオン状態が継続しない場合は、第１のＤＴＭＦ検出信号がオフ状態からオン状態に変化したと見なさない処理を行なっている。
【００６３】
従って、ＤＴＭＦ信号検出部１０２が図６に示すようにＤＴＭＦ信号（音声２）を検出し、ガード時間Ｇｔ以上、第１のＤＴＭＦ検出信号のオン状態を継続して出力した場合、ＤＴＭＦ信号監視部１０３は、第２のＤＴＭＦ検出信号をオン状態として出力する。また同時に、ＤＴＭＦ信号監視部１０３は、ＤＴＭＦ信号検出時点（第２のＤＴＭＦ検出信号がオン状態になった時点）からＤＴＭＦ信号検出部１０２からの第１のＤＴＭＦ検出信号がオン状態からオフ状態に変化した時点までの時間に、ガード時間Ｇｔを加算した信号変化検出時間と、ＤＴＭＦ信号の値情報（ＤＴＭＦコード情報）とをＤＴＭＦセル生成部１０５に通知する。
【００６４】
なお、ガード時間Ｇｔは、ＤＴＭＦ信号監視部１０３内に設けられたフラッシュＲＯＭに設定（記憶）されているものであって、これは管理端末装置８又は集中管理端末装置７によって、適宜、設定できるものであるが、この設定に係る詳細な説明は後述する。
【００６５】
ＤＴＭＦセル生成部１０５は、ＤＴＭＦ信号監視部１０３からの第２のＤＴＭＦ検出信号がオン状態に変化したことを認識し、また、ＤＴＭＦ信号監視部１０３から信号変化検出時間及びＤＴＭＦ信号の値情報（ＤＴＭＦコード情報）を受信すると、図４（ｂ）に示すＤＴＭＦセル用ＣＰＳ−ＰＤＵ Ｐａｙｌｏａｄを作成すると共に、図５に示すＤＴＭＦ ＴＩＭＥ領域Ｆ５０２にその信号変化検出時間を、ＤＶ領域にＤＴＭＦ信号有りを意味する「１」を、ＤＴＭＦ ＣＯＤＥ領域Ｆ５０４のＤＴＭＦセル種領域Ｆ５０４ａにＤＴＭＦオン／オフセルを示すコードを、更に、ＤＴＭＦコード領域Ｆ５０４ｂに受信したＤＴＭＦ信号の値を示すＤＴＭＦコードを格納し、これにＡＴＭヘッダとＳＴＦを付加してＤＴＭＦセル（以下「ＤＴＭＦオンセル」という。）を生成し、これをセル多重部１０７に送出する。
【００６６】
また、ＤＴＭＦ信号検出部１０２が、ＤＴＭＦ信号の未検出を認識し、第１のＤＴＭＦ検出信号をオン状態からオフ状態に変化させ、ＤＴＭＦセル生成部１０５がその第１のＤＴＭＦ検出信号がオフ状態に変化したことを検出すると、図４（ｂ）に示すＤＴＭＦセル用ＣＰＳ−ＰＤＵ Ｐａｙｌｏａｄを作成すると共に、図５に示すＤＴＭＦ ＣＯＤＥ領域Ｆ５０４のＤＴＭＦセル種領域Ｆ５０４ａに、無音解除セルのコードを格納し、これにＡＴＭヘッダとＳＴＦを付加してＤＴＭＦセル（以下「無音解除セル」という。）を生成し、これをセル多重部１０７に送出する。
【００６７】
更に、ＤＴＭＦ信号監視部１０３が、ＤＴＭＦ信号の未検出を認識し、第２のＤＴＭＦ検出信号をオン状態からオフ状態に変化させ、ＤＴＭＦセル生成部１０５がその第２のＤＴＭＦ検出信号がオフ状態に変化したことを検出すると、図４（ｂ）に示すＤＴＭＦセル用ＣＰＳ−ＰＤＵ Ｐａｙｌｏａｄを作成すると共に、図５に示すＤＶ領域にＤＴＭＦ信号無しを意味する「０」を、また、ＤＴＭＦＣＯＤＥ領域Ｆ５０４のＤＴＭＦセル種領域Ｆ５０４ａにＤＴＭＦオン／オフセルを示すコードを格納し、これにＡＴＭヘッダとＳＴＦを付加してＤＴＭＦセル（以下「ＤＴＭＦオフセル」という。）を生成し、これをセル多重部１０７に送出する。
【００６８】
セル多重部１０７では、ＤＴＭＦセル生成部１０５、音声セル生成部１０６にて生成されたＡＴＭセル（ＤＴＭＦセル又は音声セル）をセル送出要求順に、ＡＴＭ回線インタフェース部１０８及びＡＴＭ回線３を介して対向するＡＴＭ多重化装置２に伝送する。なお、ＤＴＭＦセル生成部１０５及び音声セル生成部１０６からセル送出要求が同時に発生した場合は、ＤＴＭＦセル生成部１０５からのＤＴＭＦセルを優先して処理する。従って、ＡＴＭ多重化装置１からは、図６の（イ）から継続的に音声セルが送出されるが、その送出中における時点（ロ）で無音セル、時点（ハ）でＤＴＭＦオンセル、時点（二）で無音解除セル、時点（ホ）でＤＴＭＦオフセルが送出されることになる。
【００６９】
次に、ＡＴＭセル受信側のＡＴＭ多重化装置２側の動作を説明する。
【００７０】
ＡＴＭ多重化装置２には、中継回線等による伝送遅延時間Ｄを経て、ＡＴＭセル（音声セル又はＤＴＭＦセル）を受信する。
【００７１】
セル分離部２０９は、ＡＴＭ回線インタフェース部２０８を介してＡＴＭセルを受信すると、図４（ａ）又は（ｂ）に示すＡＴＭセルのＣＰＳ−ＰＨ部Ｆ４０１内のＶＦ領域に格納されている情報を読み取り、受信したＡＴＭセルが音声セルか又はＤＴＭＦセルかを判別して、音声セルである場合にはこの受信したＡＴＭセルを音声セル分解部２１１送出し、また、ＤＴＭＦセルである場合にはこの受信したＡＴＭセルをＤＴＭＦセル分解部２１０送出する。
【００７２】
音声セル分解部２１１は、音声セルを受信すると（受信音声セル）、ＡＴＭヘッダー処理、ＣＰＳ−ＰＨ処理等を行い、音声符号圧縮されている音声信号を抽出し、これを音声符号伸張部２１４に送出する。
【００７３】
音声符号伸長部２１４は、音声符号圧縮されている音声信号を受信すると、これを復号化／伸張し、音声符号伸張部出力として、セレクタ（ａ）２１６に送信する。ここで、復号化／伸張には復号処理時間Ｖｂを要している。
【００７４】
一方、ＤＴＭＦセル分解部２１０が、図６における時点（ロ）で送信されたＤＴＭＦセルを受信し、これが無音セルであることを認識すると、出力情報切替部２１２にセレクタ（ａ）２１６の切り替え指示を行う。すなわち、出力情報切替部２１２は、無音セルが到達したことを認識し、セレクタ（ａ）２１６の出力が無音発生部２１５から送出される無音信号になるように、セレクタ（ａ）２１６を切り替える。
【００７５】
次に、ＤＴＭＦセル分解部２１０が、図６における時点（ハ）で送信されたＤＴＭＦセルを受信し、これがＤＴＭＦオンセルであることを認識すると、出力情報切替部２１２にセレクタ（ｂ）２１７の切り替え指示を行う。すなわち、出力情報切替部２１２は、ＤＴＭＦオンセルが到達したことを認識し、セレクタ（ｂ）２１７の出力がＤＴＭＦ信号発生部２１３から送出されるＤＴＭＦ信号になるように、セレクタ（ｂ）２１７を切り替える。
【００７６】
また、これと同時に、ＤＴＭＦセル分解部２１０は、受信したＤＴＭＦオンセルに含まれる信号変化検出時間及びＤＴＭＦ信号の値情報（ＤＴＭＦコード情報）をＤＴＭＦ信号発生部２１３に通知し、これらの情報内容に対応するＤＴＭＦコードを発生し、ＤＴＭＦ信号発生部出力として送出するように指示する。従って、このとき、セレクタ（ｂ）２１７からは、受信したＤＴＭＦオンセルに含まれる信号変化検出時間及びＤＴＭＦ信号の値情報（ＤＴＭＦコード情報）に応じたＤＴＭＦ信号が再生、出力される。
【００７７】
次に、ＤＴＭＦセル分解部２１０が、図６における時点（二）で送信されたＤＴＭＦセルを受信し、これが無音解除セルであることを認識すると、出力情報切替部２１２にセレクタ（ａ）２１６の切り替え指示を行う。すなわち、出力情報切替部２１２は、無音解除セルが到達したことを認識し、セレクタ（ａ）２１６の出力が音声符号伸張部２１４から送出される音声信号になるように、セレクタ（ａ）２１７を切り替える。
【００７８】
そして、ＤＴＭＦセル分解部２１０が、図６における時点（ホ）で送信されたＤＴＭＦセルを受信し、これがＤＴＭＦオフセルであることを認識すると、出力情報切替部２１２にセレクタ（ａ）２１６及びセレクタ（ｂ）２１７の切り替え指示を行う。すなわち、出力情報切替部２１２はＤＴＭＦオフセルが到達したことを認識し、セレクタ（ａ）２１６の出力が無音発生部２１５が発生する無音信号になるようにし、また、セレクタ（ｂ）２１７の出力がセレクタ（ａ）２１６からの出力になるようにして、セレクタ（ｂ）２１７から無音信号が出力されるようにする。そして、出力情報切替部２１２は、セレクタ（ｂ）２１７から無音信号を一定時間Ｅｔ送出させたことをタイマでカウントし、この後、セレクタ（ａ）２１６を切り替えて、セレクタ（ｂ）２１７からの出力がセレクタ（ａ）２１６からの出力（音声符号伸張部２１４からの音声信号出力）になるように、セレクタ（ｂ）２１７を切り替える。
【００７９】
なお、一定時間Ｅｔは、ＤＴＭＦ信号発生器２１３が送出したＤＴＭＦ信号の回り込みによるエコーを防止するためのものである。
【００８０】
以上の動作により、セレクタ（ｂ）２１７からの出力は、図６に示す出力音声信号となり、この出力音声信号が、トランク回路インタフェース部２０１を介してＰＢＸに送信される。従って、音声圧縮／伸長されたＤＴＭＦ信号がＰＢＸ等の音声端末装置に入力されることなく、正確にＤＴＭＦ信号が伝送できるようになる。
【００８１】
次に、ＤＴＭＦ信号監視部１０３にガード時間Ｇｔを設定するための構成とその方法について説明する。
【００８２】
図８は、ガード時間Ｇｔを任意に設定可能にするシステム構成及びＡＴＭ多重化装置の構成を示す図である。
【００８３】
図８において、ＡＴＭ多重化装置１には、前記したようにＤＴＭＦ信号監視部１０３が備えられており、このＤＴＭＦ信号監視部１０３内には、ガード時間Ｇｔを記憶するフラッシュＲＯＭ（Ｆ−ＲＯＭ）１０３ａが設けられている。またこの他に、ＡＴＭ多重化装置１には、ＡＴＭ多重化装置管理部１１８と、管理端末装置８とのインタフェースをとる管理端末インタフェース部１１９と、ＩＳＤＮ等の公衆回線６とのインタフェースをとる公衆回線インタフェース部１２０とが備えられている。
【００８４】
ＡＴＭ多重化装置管理部１１８は、ＤＴＭＦ信号監視部１０３内のフラッシュＲＯＭ１０３ａに内容（データ）を書き込む（又は内容を書き換える）機能を有しているものであって、これは管理端末インタフェース部１１９に接続された管理端末装置８又は公衆回線インタフェース部１２０及び公衆回線６を介して接続された集中管理端末装置７からによる設定操作に応じて動作する。即ち、人為的に、集中管理端末装置７又は管理端末装置８を操作することで、そのフラッシュＲＯＭ１０３ａに、システム全体の構成に最も適するガード時間Ｇｔを設定（記憶）可能にしている。
【００８５】
また、ＡＴＭ多重化装置２についてもＡＴＭ多重化装置１と同様に、ＤＴＭＦ信号監視部２０３内には、ガード時間Ｇｔを記憶するフラッシュＲＯＭ（Ｆ−ＲＯＭ）２０３ａが設けられており、更に、ＡＴＭ多重化装置管理部２１８と、管理端末装置９とのインタフェースをとる管理端末インタフェース部２１９と、ＩＳＤＮ等の公衆回線６とのインタフェースをとる公衆回線インタフェース部２２０とを備えることによって、フラッシュＲＯＭ２０３ａに、システム全体の構成に最も適するガード時間Ｇｔを設定（記憶）可能にしている。
本実施の形態においては、ガード時間Ｇｔとして、３０ｍｓ（ミリ秒）、４０ｍｓ、５０ｍｓ、６０ｍｓ、８０ｍｓ、１００ｍｓ、１２０ｍｓ、１５０ｍｓ、１８０ｍｓ、２００ｍｓ、又は２５０ｍｓの内のいずれか一つが選択的に設定できるように構成している。このように、ガード時間Ｇｔを適宜設定可能にすることで、各種通信規格に適合させることができ、ＤＴＭＦ信号の送受信時間規定が４５ｍｓ以上と規定されている通信規格の場合には、処理に要する遅延時間を考慮に入れて、ガード時間Ｇｔを４０ｍｓに設定しておけば、その通信規格に適合させることができる。
【００８６】
また、接続される音声端末のＤＴＭＦ信号送出時間として、例えば１００ｍｓ以上を保証している場合には、ガード時間Ｇｔを１００ｍｓというような大きな値にすることもできようになるため、音声入力（例えば、肉声の入力）にＤＴＭＦ信号の周波数成分が含まれている場合又はＤＴＭＦ信号の周波数成分に近似する周波数成分が含まれている場合であっても、誤ってこれをＤＴＭＦ信号として検出する確率が極めて小さくなり、動作の信頼性を向上させることができる。
【００８７】
さらに、このガード時間Ｇｔは、遠隔地に設置された集中管理装置７によって設定可能であるため、システムが運用状態に入った後でも容易にその値を変更することができ、音声入力にも拘わらずＤＴＭＦ信号と誤った検出してしまう現象が発生しても、集中管理装置７を用いて遠隔地から迅速にガード時間Ｇｔの値をより大きく変更して、音声入力を誤ってＤＴＭＦ信号として検出しないようにすることができるためサービス性が向上する。
【００８８】
なお、ガード時間Ｇｔは呼接続の際に使用される値（基本値）と、通話中に使用される値との両方を切り替えて使用することもできる。従って、呼接続の際には、呼接続処理を迅速に行うために、ＤＴＭＦ信号の送受信時間規定が４５ｍｓ以上と規定されている通信規格においては、ＤＴＭＦ信号の送出時間が４５ｍｓ以上であって、その通信規格に適合する最小の時間になるように、ガード時間Ｇｔを４０ｍｓとし、通話中は、音声信号を誤ってＤＴＭＦ信号として検出してしまうことを防止するために、ガード時間Ｇｔの値を大きくして１００ｍｓとすることもできる。
【００８９】
さらに、ＤＴＭＦ信号監視部１０３において、フラッシュＲＯＭ１０３ａにガード時間Ｇｔが設定されていない場合又は呼接続の場合は、ＤＴＭＦ信号の送受信時間が通信規格に適合する最小の値（例えば４０ｍｓ）をガード時間Ｇｔとして固定的に使用するように構成することもでき、このようにすることで、集中管理端末装置７又は管理端末装置８からのシステム設定を効率良く行えるようになる。
【００９０】
次に、ＡＴＭ多重化装置１のＤＴＭＦ信号監視部１０３にＤＴＭＦガード機能が設定されていない場合の第２の実施の形態の動作を説明する。
【００９１】
図７は、本発明のＤＴＭＦ伝送方式の動作にかかる第２の実施の形態を説明する動作シーケンス図である。
【００９２】
以下、図２及び図７において、音声符号圧縮部１０４は、「音声１」、「ＤＴＭＦ信号（音声２）」、「音声３」の何れも音声信号として音声符号圧縮を行い、図７に示すように、音声符号圧縮された音声信号が音声符号圧縮部１０４から音声セル生成部１０６に送出される。ここで、音声符号圧縮部１０４は、音声符号圧縮の処理に処理時間Ｖａを要するものとする。
【００９３】
ＤＴＭＦ信号検出部１０２は、音声信号（入力音声信号）を受信して、その信号内容を常時監視している。そして、ＤＴＭＦ判定に要する判定時間ＤｔでＤＴＭＦ信号の判定を行なっており、ＤＴＭＦ信号（音声２）を受信したとき、第１のＤＴＭＦ検出信号をオン状態にする。
【００９４】
一方、ＤＴＭＦセル生成部１０５は、ＤＴＭＦ信号検出部１０２から第１のＤＴＭＦ検出信号がオン状態に変化したことを認識すると無音セルを生成し、これをセル多重部１０７に送出する。
【００９５】
また、ＤＴＭＦ信号検出部１０２が図７に示すようにＤＴＭＦ信号（音声２）を検出したとき、ＤＴＭＦ信号監視部１０３も、ほぼ同時に、ＤＴＭＦ信号（音声２）を検出するので、第２のＤＴＭＦ検出信号をオン状態からオフ状態に変化させると共に、信号変化検出時間とＤＴＭＦの値情報（ＤＴＭＦコード情報）とをＤＴＭＦセル生成部１０５に通知する。
【００９６】
ＤＴＭＦセル生成部１０５は、ＤＴＭＦ信号監視部１０３からの第２のＤＴＭＦ検出信号がオン状態に変化したことを認識し、また、ＤＴＭＦ信号監視部１０３から信号変化検出時間及びＤＴＭＦ信号の値情報（ＤＴＭＦコード情報）を受信すると、図５に示すＤＴＭＦ ＴＩＭＥ領域Ｆ５０２にその信号変化検出時間を、ＤＶ領域にＤＴＭＦ信号有りを意味する「１」を、ＤＴＭＦ ＣＯＤＥ領域Ｆ５０４のＤＴＭＦセル種領域Ｆ５０４ａにＤＴＭＦオン／オフセルを示すコードを、更に、ＤＴＭＦコード領域Ｆ５０４ｂに受信したＤＴＭＦ信号の値を示すＤＴＭＦコードを格納したＤＴＭＦオンセルを生成し、これをセル多重部１０７に送出する。
【００９７】
また、ＤＴＭＦ信号検出部１０２が、ＤＴＭＦ信号の未検出を認識し、第１のＤＴＭＦ検出信号をオン状態からオフ状態に変化させ、ＤＴＭＦセル生成部１０５がその第１のＤＴＭＦ検出信号のオフ状態を検出すると、無音解除セルを生成し、これをセル多重部１０７に送出する。
【００９８】
更に、ＤＴＭＦ信号監視部１０３が、ＤＴＭＦ信号の未検出を認識し、第２のＤＴＭＦ検出信号をオン状態からオフ状態に変化させ、ＤＴＭＦセル生成部１０５がその第２のＤＴＭＦ検出信号のオフ状態を検出すると、ＤＴＭＦオフセルを生成し、これをセル多重部１０７に送出する。
【００９９】
セル多重部１０７では、前述したようにＤＴＭＦセル生成部１０５、音声セル生成部１０６にて生成されたＡＴＭセル（ＤＴＭＦセル又は音声セル）をセル送出要求順に、ＡＴＭ回線インタフェース部１０８及びＡＴＭ回線３を介して対向するＡＴＭ多重化装置２に伝送する。なお、ＤＴＭＦセル生成部１０５及び音声セル生成部１０６からセル送出要求が同時に発生した場合は、ＤＴＭＦセル生成部１０５からのＤＴＭＦセルを優先して処理する。従って、ＡＴＭ多重化装置１からは、図７の（へ）から継続的に音声セルが送出されるが、その送出中における時点（ト）で無音セル及びＤＴＭＦオンセルが送出され、時点（チ）で無音解除セル及びＤＴＭＦオフセルが送出されることになる。
【０１００】
次に、ＡＴＭセル受信側のＡＴＭ多重化装置２側の動作を説明する。
【０１０１】
ＡＴＭ多重化装置２には、中継回線等による伝送遅延時間Ｄを経て、ＡＴＭセル（音声セル又はＤＴＭＦセル）を受信する。
【０１０２】
セル分離部２０９は、ＡＴＭ回線インタフェース部２０８を介してＡＴＭセルを受信すると、受信したＡＴＭセルが音声セルか又はＤＴＭＦセルかを判別して、音声セルである場合にはこの受信したＡＴＭセルを音声セル分解部２１１に送出し、また、ＤＴＭＦセルである場合にはこの受信したＡＴＭセルをＤＴＭＦセル分解部２１０に送出する。
【０１０３】
音声セル分解部２１１は、音声セルを受信すると（受信音声セル）、ＡＴＭヘッダー処理、ＣＰＳ−ＰＨ処理等を行い、音声符号圧縮されている音声信号を抽出し、これを音声符号伸張部２１４に送出する。
【０１０４】
音声符号伸長部２１４は、音声符号圧縮されている音声信号を受信すると、これを復号化し、これを音声符号伸張部出力として、セレクタ（ａ）２１６に送信する。ここで、復号化には復号処理時間Ｖｂを要している。
【０１０５】
一方、ＤＴＭＦセル分解部２１０が、図７における時点（ト）で送信された無音セルとＤＴＭＦオンセルとを認識すると、出力情報切替部２１２にセレクタ（ａ）２１６及びセレクタ（ｂ）２１７の切り替え指示を行い、セレクタ（ａ）２１６からの出力が無音発生部２１５から送出される無音信号になるようにすると共に、セレクタ（ｂ）２１７からの出力がＤＴＭＦ信号発生部２１３から送出されるＤＴＭＦ信号になるようにする。
【０１０６】
また、これと同時に、ＤＴＭＦセル分解部２１０は、ＤＴＭＦ信号発生器２１３に受信したＤＴＭＦオンセルに含まれる信号変化検出時間及びＤＴＭＦ信号の値情報（ＤＴＭＦコード情報）をＤＴＭＦ信号発生部２１３に通知し、これらの情報内容に対応するＤＴＭＦコードを発生し、ＤＴＭＦ信号発生部出力として送出するように指示する。従って、このとき、セレクタ（ｂ）２１７からは、受信したＤＴＭＦオンセルに含まれる信号変化検出時間及びＤＴＭＦ信号の値情報（ＤＴＭＦコード情報）に応じたＤＴＭＦ信号が出力される。
【０１０７】
次に、ＤＴＭＦセル分解部２１０が、図７における時点（チ）で送信された無音解除セルとＤＴＭＦオフセルとを認識すると、出力情報切替部２１２にセレクタ（ｂ）２１７の切り替え指示を行い、セレクタ（ｂ）２１７の出力がセレクタ（ａ）２１６からの出力になるようして、セレクタ（ｂ）２１７から無音信号が送出されるようにする。
【０１０８】
また、出力情報切替部２１２は、ＤＴＭＦオフセルの受信を認識してから一定時間Ｅｔ経過したことをタイマでカウントし、この後、セレクタ（ａ）２１６を切り替えて、セレクタ（ｂ）２１７の出力がセレクタ（ａ）２１６からの出力（音声符号伸張部２１４からの音声信号出力）になるように、セレクタ（ｂ）２１７を切り替える。
【０１０９】
以上の動作により、セレクタ（ｂ）２１７からの出力は、図７に示す出力音声信号となり、この出力音声信号が、トランク回路インタフェース部２０１を介してＰＢＸに送信される。従って、音声圧縮／伸長されたＤＴＭＦ信号がＰＢＸ等の音声端末装置に入力されることなく、短時間で、正確にＤＴＭＦ信号が伝送できるようになる。
【０１１０】
このようにして、ＰＢＸ４の内線電話機４４から音声信号のみならず、ＤＴＭＦ信号をも音声メール装置５８に正確に伝達することができる。
【０１１１】
なお、前述したように、ＤＴＭＦ信号監視部１０３，２０３は、予め定められた間隔（例えば１秒間隔）で、定期的にＤＴＭＦ信号が検出されている状態か又は未検出の状態かを示すＤＴＭＦ信号状態情報をＤＴＭＦセル生成部１０５，２０５に通知する機能を有している。そして、ＤＴＭＦセル生成部１０５，２０５は、この通知に基づいて、ＤＴＭＦオンセル又はＤＴＭＦオフセルを送出している。
【０１１２】
この機能は、本発明の実施の形態において、ＤＴＭＦオンセルを受信したＡＴＭ多重化装置がＤＴＭＦ信号を送出した後、ＤＴＭＦオフセルを受信してＤＴＭＦ信号を停止するように構成されているために必要なものである。すなわち、ＡＴＭ回線の障害や誤動作により、ＡＴＭ回線でＤＴＭＦオフセルを紛失し、ＡＴＭ多重化装置がＤＴＭＦオフセルを受信することができず、ＤＴＭＦ信号を送出し続ける状態を防ぐものである。
【図面の簡単な説明】
【０１１３】
【図１】本発明の全体構成を示すシステム構成図である。
【図２】本発明の実施の形態にかかるＡＴＭ多重化装置の内部構成を示すブロック図である。
【図３】ＡＴＭセルＡＡＬ２フォーマットの基本構成を示す図である。
【図４】図３に示すコモン・パス・サブレイヤ・プロトコル・データ・ユニット・ペイロード部の構成を示す図である。
【図５】ＤＴＭＦセル用コモン・パス・サブレイヤ・パケット・ペイロード部の具体的構成を示す図である。
【図６】本発明のＤＴＭＦ伝送方式の動作にかかる第１の実施の形態を説明する動作シーケンス図である。
【図７】本発明のＤＴＭＦ伝送方式の動作にかかる第２の実施の形態を説明する動作シーケンス図である。
【図８】ＤＴＭＦ信号監視部のガード時間を任意に設定可能にするシステム構成及びＡＴＭ多重化装置の構成を示す図である。
【符号の説明】
【０１１４】
１，２：ＡＴＭ多重化装置
３：ＡＴＭ回線
４，５：ＰＢＸ
６：公衆回線
７：集中管理端末装置
８，９：管理端末装置
１０１，２０１：トランク回路インタフェース部
１０２，２０２：ＤＴＭＦ信号検出部
１０３，２０３：ＤＴＭＦ信号監視部
１０４，２０４：音声符号圧縮部
１０５，２０５：ＤＴＭＦセル生成部
１０６，２０６：音声セル生成部
１０７，２０７：セル多重部
１０８，２０８：ＡＴＭ回線インタフェース部
１０９，２０９：セル分離部
１１０，２１０：ＤＴＭＦセル分解部
１１１，２１１：音声セル分解部
１１２，２１２：出力情報切替部
１１３，２１３：ＤＴＭＦ発生部
１１４，２１４：音声符号伸長部
１１５，２１５：無音発生部
１１６，２１６：セレクタ（ａ）
１１７，２１７：セレクタ（ｂ）
【図１】
2008199659.tif 000003
【図２】
2008199659.tif 000004
【図３】
2008199659.tif 000005
【図４】
2008199659.tif 000006
【図５】
2008199659.tif 000007
【図６】
2008199659.tif 000008
【図７】
2008199659.tif 000009
【図８】
2008199659.tif 000010
【手続補正書】
【提出日】平成20年4月19日(2008.4.19)
【手続補正１】
【補正対象書類名】特許請求の範囲
【補正対象項目名】全文
【補正方法】変更
【補正の内容】
【特許請求の範囲】
【請求項１】
音声端末装置と通信回線とに接続される通信装置において、
前記音声端末装置からの音声信号にＤＴＭＦ信号が含まれているかどうかを検出する検出手段と、
該検出手段がＤＴＭＦ信号を検出した際に、該ＤＴＭＦ信号を所定の形式に符号化してＤＴＭＦ情報を生成し、これを前記通信回線に送出するＤＴＭＦ符号化手段と、
該ＤＴＭＦ符号化手段が前記通信回線に送出するＤＴＭＦ信号の終了を示す情報を、該ＤＴＭＦ情報とともに送信するＤＴＭＦ信号終了通知手段と、
を備えたことを特徴とする通信装置。
【手続補正２】
【補正対象書類名】明細書
【補正対象項目名】０００６
【補正方法】変更
【補正の内容】
【０００６】
本発明は、音声端末装置と通信回線とに接続される通信装置において、前記音声端末装置からの音声信号にＤＴＭＦ信号が含まれているかどうかを検出する検出手段と、該検出手段がＤＴＭＦ信号を検出した際に、該ＤＴＭＦ信号を所定の形式に符号化してＤＴＭＦ情報を生成し、これを前記通信回線に送出するＤＴＭＦ符号化手段と、該ＤＴＭＦ符号化手段が前記通信回線に送出するＤＴＭＦ信号の終了を示す情報を、該ＤＴＭＦ情報とともに送信するＤＴＭＦ信号終了通知手段と、を備えたことを特徴とする